(57)【要約】【課題】簡単容易に誤呼出しを発生させないようにすることができると共に、重大な事故に発展する事態を低減させることができる通報制御装置を提供することを目的としている。【解決手段】スイッチ１０が操作されると切替手段によって入出力部１３にて受信した検知信号及び／又は該検知信号に基づく異常信号を出力しないように切替えられ、入出力部１３にて検知信号を受信した後、再度、入出力部１３にて検知信号を受信しなければ、入出力部１３にて受信した検知信号及び／又は該検知信号に基づく異常信号を出力するように切替手段を制御し切替えるようにしている。【選択図】図２
2015210727.tif 000002
【特許請求の範囲】
【請求項１】
人によって操作可能なスイッチ手段と、
検知手段によって検知された被検知者の所定動作の検知信号を受信する受信手段と、
前記受信手段にて受信した検知信号及び／又は該検知信号に基づく異常信号を出力するか否かの切替えが可能な切替手段と、
前記スイッチ手段が操作されると前記切替手段によって前記受信手段にて受信した検知信号及び／又は該検知信号に基づく異常信号を出力しないように切替えられ、その後、前記受信手段にて前記検知信号を受信し、再度、前記受信手段にて前記検知信号を受信しなければ、前記受信手段にて受信した検知信号及び／又は該検知信号に基づく異常信号を出力するように前記切替手段を制御し切替えさせる切替制御手段とを有してなることを特徴とする通報制御装置。
【請求項２】
前記切替制御手段は、前記受信手段にて受信した検知信号及び／又は該検知信号に基づく異常信号を出力しないように前記切替手段によって切替えられ、所定時間中に、前記受信手段にて前記検知信号を受信しないと、前記受信手段にて受信した検知信号及び／又は該検知信号に基づく異常信号を出力するように前記切替手段を制御し切替えさせてなることを特徴とする請求項１に記載の通報制御装置。
【発明の詳細な説明】
【技術分野】
【０００１】
本発明は、医療・リハビリテーション・介護施設・在宅等の看介護現場で用いられるナースコール等の通報装置を制御する通報制御装置に関する。
【背景技術】
【０００２】
一般に、医療・リハビリテーション・介護施設・在宅等の看介護現場において、病室・居室・自宅などで生活を行っている患者や要看介護者等（以下、要看介護者等という）が看護師や施設指導員や家族など（以下、看介護者等という）と連絡をとるための装置として、ナースコールと呼ばれる通報装置が設置されている。このナースコールは、病室や居室内に設置された呼出用のナースコール子機と、該子機と回線で結ばれたナースコール親機とからなり、要看介護者等がナースコール子機の呼び出し操作として、例えば呼出ボタンを押すことにより、看介護の要請や容態の変化などを看介護者等に通報できるようになっている。なお、ナースコールの設置されていない施設・居室・自宅等では、ナースコール以外の通報装置が用いられている。
【０００３】
ところで、このような通報装置では、上述した呼出ボタンを備えたものだけでなく、荷重を検知するセンサーを備えたマットによって構成されるものも存在する。このマットをベッド近傍の床に敷き、要看介護者等がそのマットを踏んだことをセンサーが検知することにより、要看介護者等の離床やベッドからの転倒／転落を示す呼出信号を出力するようにした通報装置も知られている（例えば、特許文献１）。
【先行技術文献】
【特許文献】
【０００４】
【特許文献１】特開平１０−９４５２５号公報
【発明の概要】
【発明が解決しようとする課題】
【０００５】
しかしながら、上記の通報装置は、要看介護者等以外の看介護者等が上記マットを踏んだ場合にも呼出信号を出力してしまうという問題があった。
【０００６】
そこで、要看介護等以外の看介護等は、要看介護等への看介護等の行為中、誤呼出しが発生しないようマットを踏んだことを検知するセンサーの信号をＯＦＦにする場合があった。しかしながら、上記センサーの信号をＯＦＦにすると、ＯＮにしない限りマット本来の機能を果たさないため、看介護者等が上記センサーの信号をＯＮにし忘れると、重大な事故に発展してしまう危険性があるという問題があった。
【０００７】
そこで本発明は、上記問題に鑑み、簡単容易に誤呼出しを発生させないようにすることができると共に、重大な事故に発展する事態を低減させることができる通報制御装置を提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１の発明に係る通報制御装置によれば、人によって操作可能なスイッチ手段（スイッチ１０）と、
検知手段（マットセンサー２）によって検知された被検知者の所定動作の検知信号を受信する受信手段（入出力部１３）と、
前記受信手段（入出力部１３）にて受信した検知信号及び／又は該検知信号に基づく異常信号を出力するか否かの切替えが可能な切替手段（ステップＳ２）と、
前記スイッチ手段（スイッチ１０）が操作されると前記切替手段（ステップＳ２）によって前記受信手段（入出力部１３）にて受信した検知信号及び／又は該検知信号に基づく異常信号を出力しないように切替えられ、その後、前記受信手段（入出力部１３）にて前記検知信号を受信し、再度、前記受信手段（入出力部１３）にて前記検知信号を受信しなければ、前記受信手段（入出力部１３）にて受信した検知信号及び／又は該検知信号に基づく異常信号を出力するように前記切替手段（ステップＳ２）を制御し切替えさせる切替制御手段（ステップＳ５，ステップＳ８〜ステップＳ１０）とを有してなることを特徴としている。
【００１０】
また、請求項２の発明に係る通報制御装置によれば、上記請求項１に記載の通報制御装置において、前記切替制御手段（ステップＳ５〜ステップＳ７）は、前記受信手段（入出力部１３）にて受信した検知信号及び／又は該検知信号に基づく異常信号を出力しないように前記切替手段（ステップＳ２）によって切替えられ、所定時間中に、前記受信手段（入出力部１３）にて前記検知信号を受信しないと、前記受信手段（入出力部１３）にて受信した検知信号及び／又は該検知信号に基づく異常信号を出力するように前記切替手段（ステップＳ２）を制御し切替えさせてなることを特徴としている。
【発明の効果】
【００１１】
次に、本発明の効果について、図面の参照符号を付して説明する。なお、括弧内は、後述する実施形態の参照符号を付したものであるが、本発明はこれに限定されるものではない。
【００１２】
請求項１の発明によれば、スイッチ手段（スイッチ１０）の操作をするだけで、切替手段（ステップＳ２）にて、検知手段（マットセンサー２）にて検知された検知信号及び／又は検知信号に基づく異常信号を出力しないように切替えることができる。それゆえ、本発明によれば、簡単容易に誤呼出しを発生させないようにすることができる。そしてさらには、スイッチ手段（スイッチ１０）の操作後、受信手段（入出力部１３）が検知手段（マットセンサー２）からの検知信号を受信し、再度、受信手段（入出力部１３）にて検知手段（マットセンサー２）からの検知信号を受信しなければ、切替制御手段（ステップＳ５，ステップＳ８〜ステップＳ１０）にて切替手段（ステップＳ２）を制御し、検知手段（マットセンサー２）にて検知された検知信号及び／又はその検知信号に基づく異常信号を出力するように切替えさせるようにしている。これにより、本発明によれば、重大な事故に発展してしまう危険性を低減させることができる。
【００１３】
また、請求項２の発明によれば、スイッチ手段（スイッチ１０）の操作がされたにも係らず、検知手段（マットセンサー２）からの検知信号を受信手段（入出力部１３）が所定時間中に、受信しなければ、切替制御手段（ステップＳ５〜ステップＳ７）にて切替手段（ステップＳ２）を制御し、検知手段（マットセンサー２）にて検知された検知信号及び／又はその検知信号に基づく異常信号を出力するように切替えさせるようにしている。これにより、スイッチ手段（スイッチ１０）の誤作動を防止することができ、もって、重大な事故に発展する事態を低減させることができる。
【図面の簡単な説明】
【００１４】
【図１】本発明の一実施形態に係る通報制御装置を用いたシステムの概略構成図である。
【図２】同実施形態に係る通報制御装置のブロック図である。
【図３】同実施形態に係る通報制御装置の処理内容を示すフローチャート図である。
【発明を実施するための形態】
【００１５】
以下、本発明に係る通報制御装置の一実施形態について図１〜図３を参照して具体的に説明する。
【００１６】
図１は、通報制御装置１を使用したシステムの概略構成図を示すもので、通報制御装置１は、マットセンサー２と、ナースコールアダプタ３との間に介在されて使用される。このように、マットセンサー２と、ナースコールアダプタ３との間に通報制御装置１を介在させることにより、マットセンサー２にて検知した検知信号を制御することができる。
【００１７】
ところで、このマットセンサー２は、要看介護者等が使用するベッドの周囲の床上、具体的には要看介護者等がベッドから離れる際に足が接する床上に設置されるもので、要看介護者等及び／又は看介護者等によって踏まれた際の荷重や要看介護者等がベッドから転倒／転落した際の荷重を検知して呼出信号を出力するものである。そして、この呼出信号は、有線あるいは無線方式で通報制御装置１に送信される。
【００１８】
一方、ナースコールアダプタ３は、要看介護者等が使用するベッドの枕元側に設置されるもので、図１に示すように、要看介護者等が看介護者等を呼び出す際に使用される呼出ボタン３０ａを備えたナースコール子機３０が有線あるいは無線方式で接続されている。そしてさらに、このナースコールアダプタ３には、通報制御装置１が有線あるいは無線方式で接続されている。これにより、ナースコール子機３０又は通報制御装置１からの信号は、ナースコールアダプタ３を介して、ナースセンタに設置されているナースコール親機（図示せず）へ出力されることとなる。
【００１９】
他方、通報制御装置１は、図１に示すように、矩形状に形成され、図示正面中間位置に、要看介護者等及び／又は看介護者等によって押圧操作可能な押しボタン式のスイッチ１０が設けられている。そしてさらに、スイッチ１０の下部には、異常が発生したことを音で知らせるスピーカ１１が設けられている。
【００２０】
この通報制御装置１について、より具体的に、図２を用いて説明する。図２に示すように、通報制御装置１は、上記説明したスイッチ１０及びスピーカ１１に加え、ＣＰＵ等からなる中央制御部１２と、通報制御装置１の入出力を制御する入出力部１３と、フラッシュメモリ等からなり、制御手順を示したプログラム等が記憶されている記憶部１４と、所定時間を計測するタイマ部１５とで構成されている。
【００２１】
このように構成される通報制御装置１に記憶されているプログラムの処理内容を、図３を用いて説明する。
【００２２】
まず、中央制御部１２は、スイッチ１０のレベルを確認し、スイッチ１０が押圧されたか否かを確認する（ステップＳ１）。スイッチ１０が押圧されていなければ（ステップＳ１：ＮＯ）、中央制御部１２は、入出力部１３がマットセンサー２からの呼出信号を受信しているか否かを確認する（ステップＳ２）。受信していなければ（ステップＳ２：ＮＯ）、ステップＳ１の処理に戻り、受信していれば（ステップＳ２：ＹＥＳ）、中央制御部１２は、入出力部１３にて受信したマットセンサー２からの呼出信号を、入出力部１３を介してナースコールアダプタ３に出力する。これによりナースコールアダプタ３は、ナースセンタに設置されているナースコール親機（図示せず）へ呼出信号を出力することとなる。
【００２３】
また、中央制御部１２は、上記呼出信号に基づき異常信号としてスピーカ１１に出力することもできる。これにより、スピーカ１１から、異常が発生したことを知らせる音が発せられることとなる（ステップＳ３）。このように、スピーカ１１から異常音を発するようにすれば、ナースコールアダプタ３とナースコール親機（図示せず）との間で接続不良が生じた場合であっても、確実に異常を外部に報知することができる。
【００２４】
一方、スイッチ１０が押圧されていれば（ステップＳ１：ＹＥＳ）、中央制御部１２は、タイマ部１５にタイマを加算するように指示する（ステップＳ４）。これにより、タイマ部１５は、タイマを加算することとなる。
【００２５】
次いで、中央制御部１２は、入出力部１３がマットセンサー２からの呼出信号を受信しているか否かを確認する（ステップＳ５）。受信していなければ（ステップＳ５：ＮＯ）、タイマ部１５によって加算されているタイマを確認し、所定時間（例えば、３秒）経過したか否かを確認する（ステップＳ６）。所定時間（例えば、３秒）経過していれば（ステップＳ６：ＹＥＳ）、中央制御部１２は、タイマ部１５に、加算したタイマをクリアするように指示する（ステップＳ７）。これにより、タイマ部１５は、加算したタイマをクリアすることとなる。なお、中央制御部１２は、ステップＳ７の処理を終えた後、ステップＳ１の処理に戻ることとなる。
【００２６】
しかして、このように、スイッチ１０の操作がされたにも係らず、入出力部１３がマットセンサー２からの呼出信号を所定時間（例えば、３秒）中に、受信しなければ、スイッチ１０が押圧される前の状態に戻すことにより、要看介護者等によるスイッチ１０の誤作動を防止することができ、もって、重大な事故に発展する事態を低減させることができる。
【００２７】
すなわち、従来、看介護者等は、要看介護者等への看介護等の行為中、誤呼出しが発生しない方法として、上記マットセンサー２の信号をＯＦＦにせず、マットセンサー２を踏まないように跨ぐ場合があった。このようにすれば、上記マットセンサー２の信号をＯＦＦにする必要がないため、要看介護者等が看介護者等の行為を真似てマットセンサー２を踏まないようにする場合があり、もって、マットセンサー２本来の機能を果たさなくなり、重大な事故に発展してしまう危険性があるという問題があった。
【００２８】
そこで、本実施形態のように、スイッチ１０の操作がされたにも係らず、入出力部１３がマットセンサー２からの呼出信号を所定時間（例えば、３秒）中に、受信しなければ、スイッチ１０が押圧される前の状態に戻すことにより、要看介護者等によるスイッチ１０の誤作動を防止することができ、もって、重大な事故に発展する事態を低減させることができる。
【００２９】
ところで、中央制御部１２は、上記ステップＳ５にて、入出力部１３がマットセンサー２からの呼出信号を受信していれば（ステップＳ５：ＹＥＳ）、タイマ部１５に、加算したタイマをクリアするように指示する（ステップＳ８）。これにより、タイマ部１５は、加算したタイマをクリアすることとなる。
【００３０】
次いで、中央制御部１２は、入出力部１３が受信したマットセンサー２からの呼出信号を記憶部１４に記憶する（ステップＳ９）。
【００３１】
次いで、中央制御部１２は、マットセンサー２の呼出信号が解除、すなわち、入出力部１３がマットセンサー２からの呼出信号を受信しているか否かを確認する（ステップＳ１０）。入出力部１３がマットセンサー２からの呼出信号を受信していれば、看介護者等がマットセンサー２を踏んでいるため、マットセンサー２の呼出信号は解除されていないと判断でき（ステップＳ１０：ＮＯ）、中央制御部１２は、ステップＳ９の処理に戻る。
【００３２】
一方、入出力部１３がマットセンサー２からの呼出信号を受信していなければ、看介護者等がマットセンサー２を踏んでいないため、マットセンサー２の呼出信号は解除されていると判断でき（ステップＳ１０：ＹＥＳ）、中央制御部１２は、記憶部１４に記憶されているマットセンサー２からの呼出信号の記憶領域をクリアし、ステップＳ１の処理に戻ることとなる。
【００３３】
しかして、以上説明した本実施形態によれば、スイッチ１０の操作をするだけで、マットセンサー２の呼出信号及び／又は呼出信号に基づく異常信号を出力しないように切替えることができる。これにより、簡単容易に誤呼出しを発生させないようにすることができる。そしてさらには、要看介護者等が看介護者等への看介護等の行為が終了した後、マットセンサー２から離れると、スイッチ１０が押圧される前の状態に戻るため、スイッチ１０を押圧してわざわざ元の状態に戻す必要がない。それゆえ、重大な事故に発展してしまう危険性を低減させることができる。
【００３４】
なお、本実施形態においては、通報制御装置１をマットセンサー２に用いる例を示したが、これに限らず、例えば、要看介護者等のベッド上に設置され、要看介護者等の荷重がかかっている場合（要看介護者等が寝ている場合）は、反応しないが、要看介護者等の荷重がかからなくなると、その内容（要看介護者等が起きあがったこと）を検知するベッドセンサーや、離床を検知する赤外線センサーなどにも用いることができる。
【符号の説明】
【００３５】
１              通報制御装置
２              マットセンサー（検知手段）
１０            スイッチ（スイッチ手段）
１３            入出力部（受信手段）
【図１】
2015210727.tif 000003
【図２】
2015210727.tif 000004
【図３】
2015210727.tif 000005